(57)【特許請求の範囲】
【請求項１】
簡単に取外しができない蓋および容器組立体において、
開口部を画成する容器と、
前記開口部を閉塞するために前記容器に締め付けられる蓋と、
前記容器により画成されかつ前端部から後端部まで前記開口部のまわりに少なくとも部分的に延在する第１ねじ山と、
前記蓋により画成されかつ前端部から後端部まで前記蓋のまわりに少なくとも部分的に延在する第２ねじ山と、
前記第１ねじ山および第２ねじ山のうちの一方と隣接して画成された突起部とを備え、前記突起部および前記の一方のねじがそれらの間に前記ねじ山のうちの他方のねじ山の幅よりも小さい空間を画成し、かつ前記突起部および前記の他方のねじ山のうちの少なくとも一方が前記蓋および容器が一緒にねじ込まれるときに前記容器および蓋の相対的な回転移動時に変形を受け入れる弾性を有し、それにより、前記第１ねじ山と前記第２ねじ山とがねじ込みによって係合された状態からこの係合が離脱されて前記蓋をねじを緩める方向に回転しても再びこれらねじ山が係合することのない離脱状態まで相対的に軸線方向に移動され、この離脱状態においては、前記蓋が前記容器に対して自由に回転するが蓋を前記容器から取り外すことができないようになっている蓋および容器組立体。
【請求項２】
前記第１ねじ山および前記第２ねじ山の各々がらせん部分を含む請求の範囲第１項に記載の組立体。
【請求項３】
前記第１ねじ山がおねじでありかつ該おねじは前記蓋内に受け入れられる請求の範囲第２項に記載の組立体。
【請求項４】
前記容器が前方端部、らせん部分および後方端部を有する第３ねじ山を含み、かつ前記蓋が前方端部、らせん部分および後方端部を有する第４ねじ山を含み前方突起部が前記容器上の前記第３ねじ山の後方端部により画成され、前記第３ねじ山の後方端部が前記第１ねじ山のらせん部分のつる巻き角度よりも小さいつる巻き角度を有しかつ前記第１ねじ山のらせん部分へ収斂して、前記蓋の第２ねじ山の幅よりも小さい前記空間を画成する請求の範囲第２項に記載の組立体。
【請求項５】
付加的な突起部が前記第３ねじ山のらせん部分と隣接した前記第１ねじ山の後方端部により画成され、前記第１ねじ山の後方端部および前記第３ねじ山のらせん部分がそれらの間に前記蓋の第４ねじ山の幅よりも小さい空間を画成し、前記第１ねじ山の後端部が前記第３ねじ山のらせん部分のつる巻き角度よりも小さいつる巻き角度を有しかつ前記第３ねじ山のらせん部分へ収斂する請求の範囲第４項に記載の組立体。
【請求項６】
付加的な突起部が前記第２ねじ山のらせん部分と隣接した前記第４ねじ山の後方端部により画成され、前記第４ねじ山の後方端部および前記第２ねじ山のらせん部分がそれらの間に前記容器の第１ねじ山の幅よりも小さい空間を画成し、前記第４ねじ山の後方端部が前記第２ねじ山のらせん部分のつる巻き角度よりも小さいつる巻き角度を有しかつ前記第２ねじ山のらせん部分へ収斂する請求の範囲第４項に記載の組立体。
【請求項７】
付加的な突起部が前記第４ねじ山のらせん部分と隣接した前記第２ねじ山の後方端部により画成され、前記第２ねじ山の後方端部および前記第４ねじ山のらせん部分がそれらの間に前記容器の第３ねじ山の幅よりも小さい空間を画成し、前記第２ねじ山の後方端部が前記第４ねじ山のらせん部分のつる巻き角度よりも小さいつる巻き角度を有しかつ前記第４ねじ山のらせん部分へ収斂する請求の範囲第４項に記載の組立体。
【請求項８】
前記第１らせん部分、第２らせん部分、第３らせん部分および第４らせん部分の各々が約２０５°のアークの長さを有しかつ３°から４°までの範囲内のつる巻角を有しかつ前記第１ねじ山、第２ねじ山、第３ねじ山および第４ねじ山の後方端部の各々が約９０°のアークの長さを有しかつ０°のつる巻角度を有する請求の範囲第４項に記載の組立体。
【請求項９】
前記蓋の第２ねじ山および第４ねじ山の後方端部の各々が前記第２ねじ山および第４ねじ山のらせん部分のつる巻角よりも小さいつる巻き角度を有する請求の範囲第４項に記載の組立体。
【請求項１０】
前記容器が前記開口部を画成する首部を有し、かつ前記首部の底部のまわりに肩部が画成されており、前記首部に対して前記蓋を傾けた時に、前記蓋の一部分が前記肩部に当接して、前記蓋の傾斜量を最小限にするようになっている請求の範囲第１項に記載の組立体。
【請求項１１】
前記容器が首部を含み、
前記容器が前記第１ねじ山の下方の前記首部上に心出しビードを有し、前記蓋の底部にはビードが画成されており、この蓋のビードは、前記蓋および前記容器が一緒にねじ込まれかつ前記第１ねじ山および前記第２ねじ山がねじ込みにより係合した状態から相対的に軸線方向に移動された時に、前記蓋のビードが前記容器の心出しビードの上に乗り上げてから前記心出しビードの下方にスナップ移動するようになっている請求の範囲第１項に記載の組立体。
【請求項１２】
簡単に取外しができない蓋および容器組立体において、
開口部を画成する首部を有する容器と、
前記開口部を閉塞するために前記容器に締め付けられる蓋とを備え、前記蓋は前記容器の首部と隣接して配置される開放端部を有し、さらに、
前記容器により画成されかつ前方端部から後方端部まで前記開口部のまわりに少なくとも部分的に延在する第１ねじ山と、
前記蓋により画成されかつ前方端部から後方端部まで前記蓋のまわりに少なくとも部分的に延在する第２ねじ山と、
前記容器により画成されかつ前方端部から後方端部まで前記開口部のまわりに少なくとも部分的に延在する第３ねじ山と、
前記蓋により画成されかつ前方端部から後方端部まで前記蓋のまわりに少なくとも部分的に延在する第４ねじ山とを備え、
前記第１ねじ山、前記第２ねじ山、前記第３ねじ山および前記第４ねじ山は、それぞれ、前記前方端部と前記後方端部との間に、第１らせん部分、第２らせん部分、第３らせん部分および第４らせん部分を画成し、
前記容器上の前記ねじ山の各々の前記後方端部は前記容器上の前記ねじ山の各各の前記前方端部よりも前記容器の開口部から遠く離れて軸線方向に配置され、
前記蓋上の前記ねじ山の各々の前記後方端部は前記蓋上の前記ねじ山の各々の前記前方端部よりも前記蓋の開放端部から遠く離れて軸線方向に配置され、
前記ねじ山の後方端部の各々が前記らせん部分のつる巻角よりも小さいつる巻き角度を有し、
前記第３ねじ山の後方端部が前記第１ねじ山のらせん部分へ収斂して、それらの間に前記蓋の第２ねじ山の幅よりも小さい空間を画成し、
前記第１ねじ山の後方端部が前記第３ねじ山のらせんへ収斂して、それらの間に前記蓋の第４ねじ山の幅よりも小さい空間を画成し、
前記第４ねじ山の後方端部が前記第２ねじ山のらせん部分へ収斂して、それらの間に前記容器の第１ねじ山の幅よりも小さい空間を画成し、
前記第２ねじ山の後方端部が前記第４ねじ山のらせん部分と収斂して、それらの間に前記容器の第３ねじ山の幅よりも小さい空間を画成し、かつ
前記蓋および容器が一緒にねじ込まれたときに、前記ねじ山が前記容器および蓋の相対回転移動の間に変形を受け入れる弾性を有し、それにより前記ねじ山がねじ込みによって係合された状態からこの係合が離脱されて、前記蓋をねじを緩める方向に回転しても再びこれらねじ山が係合することのない離脱状態まで相対的に軸線方向に移動され、この離脱状態においては、前記蓋が前記容器に対して自由に回転するが前記蓋を前記容器から取り外すことができないようになっている蓋および容器組立体。
【請求項１３】
前記第１らせん部分、第２らせん部分、第３らせん部分および第４らせん部分の各々が約２０５°のアークの長さを有しかつ３°から４°までの範囲内のつる巻角を有し、かつ
前記第１ねじ山、第２ねじ山、第３ねじ山および第４ねじ山の後方端部の各々が約９０°のアークの長さを有しかつ０°のつる巻角度を有する請求の範囲第１２項に記載の組立体。
【請求項１４】
前記第１ねじ山および第３ねじ山がおねじであり、該おねじが前記蓋内に受け入れられている請求の範囲第１２項に記載の組立体。
【発明の詳細な説明】
技術分野
本発明は容器と簡単に取外しができない蓋との組立体である包装容器に関する。
発明の背景および従来技術により提起された技術的な問題
容器の一般的な型式は、ねじ切りされた首部を有しかつキャップまたは同様な部材の形態をねじ切りされた蓋を受け入れるように適合している。多くの分野においては、このような蓋は、当初、自動蓋締機、例えば、高速蓋締機により容器に締め付けられる。
種々のこのようなねじ切りされた蓋は、分与できる構成を与えるもので、例えば、分与オリフィスを設けたリッド本体、すなわち、リッド基部と、協働するリッドとを備えている。このリッドは蓋の基部に配置されかつ（１）分与オリフィスを閉塞する低い閉鎖位置と（２）容器の内容物をオリフィスを通じて吐出することを可能にする分与オリフィスを開放する位置との間に移動されるようになっている。
これら型式の蓋の設計は、リッドを閉塞位置から開放位置までまず動かすため、破断される不正操作が明瞭にわかる構成を含めたものもある。しかしながら、もしも蓋の基部それ自体が容器から容易に取外し可能であれば、たとえリッドと蓋の基部との間の不正操作が明瞭にわかる構成が破壊又は損傷されていなくとも、容器の内部手付きとすることができよう。それゆえに、ある用途においては、不正操作が明瞭にわかる構成を有していないこれらの蓋であっても、容器からの蓋全体を簡単に取外しできないようにすることが望ましいと考えられる。
従って、蓋を容易に取り外しできない改良された蓋および容器組立体を提供することが有利であろう。もしも慣用の高速蓋締機で容器への蓋の締付できるねじ山系を有し、しかもこのような改良された設計を使用することができれば、特に望ましい。
それに加えて、もし蓋が容器に適切に取り付けられた後に、このような改良された設計で蓋をいずれか一方向に自由に回転しまたは容器上で回転することが可能であれば有利であろう。これは蓋を通常のねじを緩める動作で取り外すことができないことを使用者に暗示させ、それゆえに、いたずらに蓋を取り外すことを思いとどまらせることになろう。
本発明は上記の利点と特徴とを有する設計に適応することができる改良された容器およびかみ合う蓋装置を提供する。
発明の要約
本発明によれば、容器と簡単に取外しができない蓋との組立体を含む包装体が提供される。
この新規な包装体では、慣用の高速蓋締機を使用して蓋を容器に締め付けることができる。この蓋は、手操作による取外しを阻止しまたは有意に阻止するように、容器上に確実に保持される。それにもかかわらず、蓋は容器上でいずれか一つの回転方向に自由に回転することができる。
この容器では蓋が容器の開口部を閉塞するために容器に締め付けられる。分与構成、例えば、分布オリフィスおよびリッドを蓋に設けることもできる。
容器は前方端から後方端まで容器のまわりに少なくとも部分的に延在する第１ねじ山を画成している。第２ねじ山が蓋に画成されかつ前方端から後方端まで蓋のまわりに少なくとも部分的に延在している。
突起部が第１ねじ山および第２ねじ山のうちの一方と隣接して画成されている。突起部とねじ山の一方とは、それらの間に他方のねじ山の幅よりも小さい空間を画成している。突起部または他方のねじ山、または突起部および他方のねじ山の両方は、容器に蓋を締め付けるために容器および蓋が一緒にねじ込んで、容器と蓋とを相対回転させた時に変形を受け入れる弾性を有する。このため、ねじはねじ込みにより係合した状態から再係合に抗する離脱状態まで相対的に軸線方向に移動される。
好ましい一実施例においては、第１ねじ山および第２ねじ山の各々は、らせん部分を含む。さらに、容器は、前方端、らせん部分および後方端を有する第３ねじ山を含み、一方、蓋は、前方端、らせん部分および後方端を有する第４ねじ山を含む。突起部は容器上の第３ねじ山の後方端により画成されている。第３ねじ山の後方端は、第１ねじ山のらせん部分よりも小さい角度を有しかつ第１ねじ山のらせん部分と収斂して、蓋の第２ねじ山の幅よりも小さい空間を画成している。
典型的な一つの用途においては、容器上の第１ねじ山および第３ねじ山の各々はおねじであり、かつ蓋上の第２ねじ山および第４ねじ山の各々はめねじである。
好ましい一実施例においては、付加的な突起部が第３ねじ山のらせん部分と隣接した第１ねじ山の後方端により容器上に画成されている。第１ねじ山の後方端は、第３ねじ山のらせん部分よりも小さい角度を有しかつ第３ねじ山のらせん部分へ収斂している。第１ねじ山の後方端および第３ねじ山のらせん部分は、それらの間に、蓋の第４ねじ山の幅よりも小さい空間を画成されている。
さらに、また、この好ましい実施例においては、付加的な突起部が第２ねじ山のらせん部分へ隣接した第４ねじ山の後方端により画成されている。第４ねじ山の後方端は、第２ねじ山のらせん部分よりも小さい角度を有しかつ第２ねじ山のらせん部分へ収斂する。第４ねじ山の後方端および第２ねじ山のらせん部分は、それらの間に、容器の第１ねじ山の幅よりも小さい空間を画成している。
最終的に、この好ましい実施例においては、また、付加的な突起部が第４ねじ山のらせん部分と隣接した第２ねじ山の後方端により画成されている。第２ねじ山の後方端は、第４ねじ山のらせん部分よりも小さい角度を有しかつ第４ねじ山のらせん部分と収斂する。第２ねじ山の後方端および第４ねじ山のらせん部分は、それらの間に、容器の第３ねじ山の幅よりも小さい空間を画成している。
本発明の多数のその他の利点および特徴は、本発明の以下の詳細な説明、請求の範囲および添付図面から容易に明らかになろう。
【図面の簡単な説明】
明細書の一部分を形成する添付図面においては、同様な符号が添付図面全体を通じて同様な部品を示すために使用されている。
第１図は本発明の容器および蓋組立体の好ましい一実施例の一部欠載斜視図であり、
第１Ａ図はねじ山を含む容器および蓋の３６０°の円筒形壁部分の展開図でありかつ壁部を平坦な向きで示した図であり、
第２図は組立前の容器および蓋の拡大した一部欠載側面図であり、
第３図は第２図をほぼ平面３−３に沿って裁った容器の首部の一部欠載上面図であり、
第４図、第６図および第８図は容器上に蓋をねじ込む操作順序を示す拡大した一部欠載部分横断面図であり、
第５図、第７図および第９図は第４図、第６図および第８図のそれぞれをほぼ平面５−５、７−７および９−９に沿って裁った一部欠載横断面図であり、
第１０図は容器上に完全に組み立てられた蓋を示した第１図ないし第９図の蓋および容器の一部欠載横断面図であり、
第１１図は第１０図と類似の図であるが、しかし第１１図は第２実施例を示しており、
第１２図は第１１図において「第１２図」と記載した破線の円の内部の領域を大きく拡大した部分図である。
好ましい実施例の説明
本発明は多数の異なる形態の実施例を含むことができるが、この明細書および添付図面は本発明の例としてのある特定の形態のみを開示している。しかしながら、本発明はこの明細書に記載する実施例に限定されるように意図されたものではない。本発明の範囲は添付した請求の範囲に記載してある。
説明を容易にするために、本発明の構成部分は通常の（直立した）操作位置において説明してあり、かつ上側、下側、水平等の用語は、この位置に関して記載してある。しかしながら、本発明の構成部分を本文に記載した位置以外の向きにおいて製造し、保管し、輸送し、使用しかつ販売することができることは理解されよう。
本発明の蓋は、本発明の容器に慣用の高速蓋締機により締め付けることができる。慣用の蓋締機の詳細は、詳細に例示しまたは記載していないが、当業者にはこのような機械の必要な機能の理解と共に明らかであろう。このような機械の詳細な説明は、本発明の理解にとって必要ではなく、かつこのような機械が本発明の一部分を構成していないので、この明細書に記載していない。
本発明は蓋の容易な取り外しを阻止するように蓋を容器に締め付けるための便宜をはかるためにねじ山系を組み込んである容器の形態の包装体を提供する。第１図は、全体を符号３０で示した容器と、全体を符号３２で示した蓋とを例示している。
蓋３２は容器３０上にねじ込みにより締め付けられるようになっている。容器３０は、典型的には、任意の好適な形状、特殊の形状または慣用の形状を有することができる本体部分またはレセプタクル部分（図面では見えない）を含み、かつ本体部分から首部３６が（第１図に示すように）延在している。首部３６は開口部を画成し、該開口部を通じて容器の内容物である液体を分与することができる。
蓋３２は、第１図に最良に例示したように、容器の首部３６に固定するためのハウジング、基部（ｂａｓｅ）、または本体４０を含む。蓋本体４０は、ほぼ円筒形のスカート４４の形態の周囲壁部を含む。蓋のスカート４４の上端部は、典型的には、好適な分布開口部、すなわち、オリフィスを画成する水平な横方向デッキ構造体（例示せず）で閉ざされ、または該デッキ構造体と合体している。リッド（例示せず）が典型的にはオリフィスを閉塞するためのデッキ上の閉鎖位置と容器の内液体をオリフィスを通じて分布することを可能にするためにデッキから離れた開放位置との間に移動するために蓋の基部４０に取り付けられている。
容器の首部３６は、ほぼ円筒形の形状を有する。首部３６の外面には、第１ねじ山５１が設けられ、かつ蓋のスカート４４は、その内面上に、第２ねじ山５２が設けられている。例示した好ましい実施例においては、容器の首部３６には、また、第３ねじ山５３を画成し、かつ蓋のスカート４４には、第４ねじ山５４を画成している。
容器の首部のねじ山５１および５３が外側のおすのねじ山として例示され、かつ蓋のスカートのねじ山５２および５４が内側のめすのねじ山として例示されているけれども、容器の首部上のねじ山を容器の首部の内側に配置されためすねじ山とし、一方、蓋のスカート４４上のねじ山を蓋のスカートの外側に配置されたおすのねじ山とすることができることは理解できよう。
容器のねじ山５１および５３の各々は、容器の首部３６のまわりに部分的に延在しかつ一緒に二重の親ねじ山系を画成している。同様に、蓋のスカート４４のねじ５２および５４の各々は、スカート４４の内周のまわりに部分的に延在しかつ一緒に二重の親ねじ山系を画成している。
各々のねじ山５１、５２、５３および５４は、前方端部Ａ，らせん部分Ｂおよび後方端部Ｃ（第１Ａ図）を有している。
容器のねじ山５１および５３の前方端部Ａは、容器の端部から離れて内方に面する側にテーパが付けられている。同様に、蓋のねじ山５２および５４の前方端部Ａは蓋のスカート４４の開放端部から離れて内方に面する側にテーパが付けられている。
容器の端部に向かって面する容器のねじ山５１および５３の各々の前方端部Ａの側は、容器の首部３６のまわりに部分的に延在するらせん部分を画成しかつねじ山のらせん部分Ｂの部分になる。好ましい一実施例においては、つる巻角は３度４０分である。同様に、蓋のねじ山５２および５４の前方端部Ａは，蓋の開放端部に向かって外方に面する表面を有しかつその表面は蓋のスカートのまわりに部分的に延在するほぼつる巻角を画成しかつ各々のねじ山のらせん部Ｂの部分になる。この好ましい実施例においては、蓋のねじ山５２および５４のらせん部分Ｂは３度４０分のつる巻角を有する。
容器の第３ねじ山５３の後方端部Ｃは，第１Ａ図から理解することができるように、０°のつる巻角を有しかつ第１ねじ山のらせん部分Ｂへ収斂して、蓋の第２ねじ山５２の幅よりも小さい空間を画成している。容器の第３ねじ山５３の後方端部Ｃは、代替的に、第１ねじ山５１と隣接した容器の首部上に「突起部」を機能的に画成することを特徴とすることができ、かつこの突起部は第１ねじ山５１と協働して蓋の第２ねじ山５２の幅よりも小さいスペースを画成している。
容器の第１ねじ山５１の後方端部Ｃは、同様に、０°のつる巻角を有しかつ第３ねじ山５３のらせん部分Ｂに向かって収斂している。第１ねじ山の後方端部Ｃは、また、第１ねじ山のらせん部分Ｂと隣接した突起部として画成することができる。
同様に、蓋のスカート上では、第２ねじ山５２の後方端部Ｃが０°のつる巻角を有しかつ第４ねじ山５４のらせん部分Ｂへ収斂している。同様に、蓋上の第４ねじ山５４の後方端部Ｃは０°のつる巻角を有しかつ蓋のねじ山５２のらせん部分Ｂに向かって収斂している。ねじ山の各々の後方端部Ｃは、隣接したねじ山のらせん部分Ｂと一緒に、ねじ山の幅よりも小さい縮小したスペースを画成する突起部としてみなすことができる。
各々のねじ山の後方端部Ｃが必ずしも平坦である必要がなく、または０°のつる巻角を有する必要がないことは理解されよう。しかしながら、後方端部Ｃは隣接したねじ山のらせん部分に向かって収斂しかつ縮小した幅の空間を画成するようにらせん部分Ｂのつる巻角よりも小さい角度を有していなければならない。
また、代替実施例（図示せず）においては、後方端部Ｃを省略することができかつ隣接したねじ山と協働して縮小したスペースを画成するためにその他の好適な突起部と置き換えることができることは理解されよう。
第２図は蓋を容器の首部３６上に移動しかつねじ込み係合を行う直前に容器の首部３６とほぼ同軸をなして整列した蓋３２を示す。第４図ないし第８図は、容器の首部３６上への蓋３２のねじ込みを逐次例示している。第４図においては、蓋の第２ねじ山５２が容器のねじ山５１および５３の間にねじ込まれている。蓋の第２ねじ山５２の前方端部Ａが容器のねじ山５３の０°のつる巻角を有する後方端部Ｃおよび容器のねじ山５１のらせん部分Ｂにより画成された減少する空間の中に移動し始めている。
第５図に示すように、容器のねじ山５３が若干変形し始める。ねじ山のプロファイルの設計および使用される材料により、蓋のねじ山５２もまた若干変形することができる。また、蓋のスカート４４は半径方向に外方に僅か撓むことができる。それに加えて、容器のねじ山５１の若干の上向きの変形が起きるかもしれない。この変形は弾性によるものであり、かつ一時的であることが好ましい。
第４図および第５図に例示した箇所においては、さらにねじ込み係合を行うことに対するトルク抵抗が増加し始めつつある。ねじ込み過程を継続しかつねじ山をさらに変形させるためには、十分な増大したトルクを加えなければならない。
蓋をねじ込む方向、すなわち、係合する方向にさらに回転させるときに、蓋の第２ねじ山５２の０°のつる巻角を有する後方端部Ｃの下面が容器のねじ山５３の０°のつる巻角を有する後方端部Ｃの上面と係合し始める。同時に、蓋のねじ山５４のらせん部分Ｂの上面が容器の第３ねじ山５３の０°のつる巻角を有する後方端部Ｃの下面と係合する。回転移動（ねじ込み方向における）がこれらのねじ山部分の間の干渉（ｉｎｔｅｒｆｅｒｅｎｃｅ）による抵抗を受ける。
ねじ込みトルクが十分に増大されたときに、蓋のねじ山５２および５４は、ねじ山系がねじ込み方向における蓋の軸線方向の変位を受け入れるに十分に変形するので、幾分かのスナップ作用により下方に突然に移動する。その点において、蓋のねじ山５２および５４が第８図および第９図に例示したように容器のねじ山５１および５３よりも十分に下方に位置決めされる。さらに、第８図から理解できるように、蓋のねじ山５２の０°のつる巻角を有する後方端部Ｃが容器のねじ山５３の底部と隣接する。
第４図ないし第９図を参照すると、蓋のねじ山５２が容器のねじ山５３の下方にスナップ移動するときにねじ山系の半分のみの作用が見えることは理解されよう。しかしながら、同時に、容器のまわりに１８０°、蓋のねじ山５４が容器のねじ山５１の下方にスナップ移動されることが理解されよう。従って、蓋のねじ山５４の０°のつる巻角を有する後端部Ｃが容器のねじ山の底部の下方にかつ該底部と隣接して配置される。
蓋のねじ山５２および５４の後端部Ｃが０°のつる巻角を有し、かつ容器のねじ山５１および５３の後端部Ｃが０°のつる巻角を有しているので、蓋のねじを緩める方向に回転することによりねじ山を再係合することは不可能である。その結果、蓋３２が第８図および第９図に例示した完全に組み立てられた位置にいったん駆動されると、蓋３２はねじを緩める方向（ならびにねじ込み方向）において単に自由に回転する。
現在企画図している好ましい一実施例においては、ねじ山のピッチ（すなわち、２つの隣接したねじ山のらせん部分の間の距離）は、３．２mm（０．１２５インチ）である。このねじ山系は、６．３５mm（０．２５インチ）のリード（すなわち、もしも蓋をねじ山系上で３６０°（１回転）回転させるとすれば、蓋が軸線方向に移動する理論的な距離）を有する。
第１図ないし第９図に例示した好ましい実施例においては、二重のリードのねじ山系（ｄｏｕｂｌｅ  ｌｅａｄ  ｔｈｒｅａｄ  ｓｙｓｔｅｍ）が使用されている。従って、容器は２つのねじ山、すなわち、ねじ山５１および５３を含み、かつ蓋は２つのねじ山、すなわち、ねじ山５２および５４を含む。しかしながら、その他のねじ山の組合わせが可能であることは理解されよう。例えば、単一のねじ山を蓋に設けることができ、かつ単一のかみ合うねじ山を容器上に設けることができよう。しかしながら、二重のリードのねじ山系を使用することにより、ねじ込み力を１８０°離れた状態で平衡させることができ、かつこれによりねじ込み過程の間にさらに効果的な制御が得られる。
この好ましい実施例の二重のリードのねじ山系により、各々のねじ山の前端部Ａおよびらせん部分Ｂの組み合わされた長さは２０５°であり、かつ後端部Ｃ（０°の角度に沿った）は９０°のアークの長さを有する。この構成においては、蓋のねじ山を容器のねじ山を完全に越えて第８図に例示した完全に取り付けられた位置まで駆動するためには、蓋を約２９５°のみ回転することが必要である。
二重のリードのねじ山を有する例示した好ましい実施例において、かつ各々のねじ山が０°の角度の後端部Ｃを有する場合には、後方端部Ｃの最小の長さは、式３６０°／［２×（リードの数）］により決定される。
本発明の新規のねじ山系は、蓋を高速蓋締機により、その他の蓋／容器取付け構造体、例えば、差し込みピン（ｂａｙｏｎｅｔ）、ビード型の構成またはラチェット型の構成と比較して比較的に低いトルクにより締め付けることができる。それにもかかわらず、本発明のために必要な比較的に低い締付けトルクにもかかわらず、蓋および容器は、典型的な使用者が蓋を容器から手操作で取り外すことを阻止するように取り付けられた状態にとどまる。
第１０図は蓋のねじ山が容器のねじ山から離脱されかつ容器のねじ山の下方に位置決めされた完全に組み立てられた状態の容器３０の首部３６上に取り付けられた蓋の基部４０を例示している。第１０図に例示した実施例においては、容器は首部３６の基部において肩部６２を含み、かつ肩部６２の頂部６２は首部３６と合体する円錐台形の表面６４を有する。
蓋の基部４０のねじは、肩部６２および円錐台形の表面６４を収容するように蓋の基部４０の底部の開放端部から内方に配置されている。第１０図に例示したように、肩部６２の外面と蓋の基部４０の内面との間には、小さい環状の空間Ｄが形成されている。この空間は通常の製造の公差を許容するために十分であるが、びんの首部３６上の蓋の基部４０のかなりの横方向の移動を阻止するためには十分に小さい。このために、蓋のねじを緩めようとするときに、取り付けられた蓋を傾けることが阻止されかつねじ山を再係合することが阻止される。
本発明の包装体の代替実施例を第１１図および第１２図に例示してある。第１１図および第１２図は、容器３０′の首部３６′上に完全に組み立てられた蓋の基部４０′を例示し、蓋の基部４０′のねじ山が容器の首部３６′のねじ山の下方に配置されている。二重のリードのねじ山系を第１１図および第１２図に例示した実施例に示してあり、かつこの二重のリードのねじ山系は、第１図ないし第１０図に例示した実施例を参照して前述した二重のリードのねじ山系と同じである。
第１１図および第１２図の代替実施例は、首部３６′の基部に近く配置された特殊の心出しビード７１を含む。ビード７１は蓋の基部４０′が容器の首部３６′上で傾けられる可能性を減らすように設計されている。蓋の基部４０′のこのような傾斜は、さもなければ、同時にねじを緩めるトルクが作用するときに、ねじ山を係合させるように押しつける試みを若干容易にする。心出しビード７１は、蓋のねじ山の前端部の下方にあり、かつビード７１は蓋のねじ山が傾斜され、すなわち、半径方向に内方にかなりの量移動されることを阻止する。
さらに、蓋の基部４０′は、また、蓋のスカートの底部の内周のまわりに浅いビード８１を含む。ビード８１は、容器の心出しビード７１の垂直に下方に配置されている。第１２図に例示したように、容器の首部３６′と蓋のビード８１との間には、横方向の、すなわち、半径方向の隙間Ｘが保たれている。また、蓋のビード８１の頂部と容器の心出しビード７１との間には、垂直の隙間Ｙが保たれている。隙間ＸおよびＹは、製造の公差を許容するために十分であるが、かなりの横方向の移動または垂直方向の移動を阻止するために十分に小さい。これにより、容器の首部３６′上の蓋の基部４０′のいかなる有意な傾斜をも阻止する。これにより、蓋をねじ戻すように試みるときに、ねじ山を係合するように押し込むことができる傾向が最小限度にとどめられる。
蓋を容器の首部に締め付ける間に、蓋のビード８１を蓋の基部４０′に伝達される軸線方向の駆動力により容器の首部の心出しビード７１に押し込み、またはスナップ移動しなければならないことは理解されよう。蓋の取外しは、当初、かなりの量の垂直力を必要とする。この垂直力は、この実施例においては、蓋のねじ山が容器のねじ山と容易に係合することができないので、手操作で加えることが困難である。
本発明の容器および蓋組立体は、好適な熱可塑性材料、例えば、ポリプロピレンおよび同様な材料から成形することができる。本発明は過度に高いまたは精密な公差を必要としない慣用の製造作業により製造された蓋および容器に具体化することができる。本発明の蓋および容器構成部分は、慣用の蓋締機による組立を可能にしかつ蓋の取外しを阻止しかつ妨害する包装体を提供する。
本発明の上記の詳細な説明およびその例示から、種々の変更および変型を本発明の新規の概念または原理の真の精神および範囲から逸脱することなく実施することができることは容易に明らかであろう。
【図１】
0003699726.tif 000002
【図１Ａ】
0003699726.tif 000003
【図２】
0003699726.tif 000004
【図３】
0003699726.tif 000005
【図４】
0003699726.tif 000006
【図５】
0003699726.tif 000007
【図６】
0003699726.tif 000008
【図７】
0003699726.tif 000009
【図８】
0003699726.tif 000010
【図９】
0003699726.tif 000011
【図１０】
0003699726.tif 000012
【図１１】
0003699726.tif 000013
【図１２】
0003699726.tif 000014